(57)【要約】【課題】  電子機器の電源に対する要求の多様化に伴い、急激な電流変化に対応でき、かつ小型化可能なスイッチング電源が求められていた。【解決手段】  スイッチング電源の電圧制御回路において、誤差増幅回路１０ａに加えて誤差増幅回路１０ｂを備え、誤差増幅回路１０ｂのフォトカプラ９ｂをフォトカプラ９ａと並列に接続する。また、誤差増幅回路１０ｂの閾値電圧を誤差増幅器１０ａの閾値電圧より僅かに大きくし、かつ、誤差増幅器１０ｂの利得特性を大きくすることにより急激な電流変化によりスイッチング電源の出力電圧が瞬間的に上昇したときだけ、誤差増幅器１０ｂが動作し、出力電圧の上昇を抑圧する。【選択図】        図１
2005184962.tif 000002
【特許請求の範囲】
【請求項１】
出力電圧のパルス幅を調整しデューティー制御可能なパルス幅制御回路に、パルス幅調整用の電圧を供給する出力端子と、
スイッチング電源の出力電圧が入力される入力端子と、
第１の閾値電圧が設定され、前記入力端子の電圧が第１の閾値電圧よりも小さいときに出力せず、前記入力端子の電圧が当該第１の閾値電圧よりも大きいときに、所定の利得特性に基いて前記入力端子の電圧と当該第１の閾値電圧との差を増幅し、前記出力端子に出力する第１の増幅回路と、
前記第１の増幅回路と並列接続され、第２の閾値電圧が設定されて前記入力端子の電圧が第２の閾値電圧よりも小さいときには出力せず、前記入力端子の電圧が当該第２の閾値電圧よりも大きいときには、所定の利得特性に基いて前記入力端子の電圧と第２の閾値電圧との差を増幅し、前記出力端子に出力する第２の増幅回路とを備え、
前記第２の増幅回路は前記第１の増幅回路よりも大きい利得特性を有し、前記第２の閾値電圧は前記第１の閾値電圧よりも大きく設定されたことを特徴とするスイッチング電源用の電圧制御回路。
【請求項２】
出力電圧のパルス幅を調整しデューティー制御可能なパルス幅制御回路に、パルス幅調整用の電圧を供給する出力端子と、
スイッチング電源の出力電圧が入力される入力端子と、
第１の閾値電圧が設定され、前記入力端子の電圧が第１の閾値電圧よりも小さいときに出力せず、前記入力端子の電圧が当該第１の閾値電圧よりも大きいときに、所定の利得特性に基いて前記入力端子の電圧と当該第１の閾値電圧との差を増幅する第１の増幅回路と、
前記第１の増幅回路の出力端に直列接続され、第２の閾値電圧が設定されて前記入力端子の電圧が第２の閾値電圧よりも小さいときには出力せず、前記入力端子の電圧が当該第２の閾値電圧よりも大きいときには、所定の利得特性に基いて前記入力端子の電圧と第２の閾値電圧との差を増幅し、前記出力端子に出力する第２の増幅回路とを備え、
前記第２の増幅回路は前記第１の増幅回路よりも大きい利得特性を有し、前記第２の閾値電圧は前記第１の閾値電圧よりも小さく設定されたことを特徴とするスイッチング電源用の電圧制御回路。
【請求項３】
前記請求項１もしくは前記請求項２記載のスイッチング電源用の電圧制御回路と、当該電圧制御回路からの供給電圧に基いて出力電圧のパルス幅を調整するスイッチング回路とを備えたことを特徴とするスイッチング電源。
【発明の詳細な説明】
【技術分野】
【０００１】
この発明は、一般の電子機器に使用されるスッチング電源用の電圧制御回路と、当該電圧制御回路からの供給電圧に基いて出力電圧のパルス幅を調整するスイッチング電源の改良に関するものである。
【背景技術】
【０００２】
従来のスイッチング電源では、電圧制御回路が出力側の出力電圧を検出し、検出したスイッチング電源の出力電圧をフィードバックしてスイッチング制御回路への供給電圧を制御していた。スイッチング制御回路は電圧制御回路の供給電圧にもとづいてスイッチング素子のオンオフのデューティー（スイッチングデューティー）を制御していた。これによって、入力電圧が変動しても、負荷に対して安定的な直流電圧を供給していた（例えば、特許文献１参照）。
【０００３】
【特許文献１】特開２００３−３２４９４９号公報（第２５段落乃至第５５段落、及び図２、図４）
【０００４】
この種のスイッチング電源に対する要求性能の一つとして、急激な出力電流の変化（以下、負荷急変という。）への対応が求められている。例えば、特許文献１記載のスイッチング電源では、スイッチング電源が過電圧状態となったことを検出した場合に、スイッチング動作を停止させることによって、負荷急変時の出力電圧の変動に伴なう負荷となる機器の破損を防止していた。
【０００５】
近年の電子機器の多様化により、電子機器に供給する電流特性も多様化しており、急激な電流変化が生じても、負荷に安定な出力電圧を供給するスイッチング電源が求められている。負荷急変時の安定度が良ければ、負荷急変の発生で瞬間的に出力電圧が大きく変動しても、スイッチング動作を停止させることなく、負荷となる機器の誤動作を防ぐことができる。
【０００６】
負荷急変に対応できるスイッチング電源を得るためには、スイッチング制御回路への供給電圧を制御する電圧制御回路のフィードバック系の利得を大きくし、制御帯域を広くすることによって、出力電圧の安定度を向上させれば良い。しかしながら、制御帯域を広くすることは制御系の安定性を損なうことになり、出力電圧の発振現象の原因となっていた。また、スイッチング電源の負荷急変に対する安定度を向上させるためには、出力コンデンサの容量を大きくしても良いが、装置を大型化させてしまう。
【発明の開示】
【発明が解決しようとする課題】
【０００７】
このように、従来のスイッチング電源の電圧制御回路では、制御系の安定性を確保するために電圧制御回路のフィードバック系の利得を抑制し、制御帯域を制限する必要があるため、負荷急変に対応できるスイッチング電源を実現するためには、大きな出力コンデンサを必要とし、このため装置が大型化するという問題があった。
【０００８】
この発明は、係る課題を解決するために成されたものであり、大きな出力コンデンサを必要とすることなく、負荷急変時の出力電圧変動を抑制することを目的とする。
【課題を解決するための手段】
【０００９】
この発明によるスイッチング電源用の電圧制御回路は、出力電圧のパルス幅を調整しデューティー制御可能なパルス幅制御回路に、パルス幅調整用の電圧を供給する出力端子と、スイッチング電源の出力電圧が入力される入力端子と、第１の閾値電圧が設定され、前記入力端子の電圧が第１の閾値電圧よりも小さいときに出力せず、前記入力端子の電圧が当該第１の閾値電圧よりも大きいときに、所定の利得特性に基いて前記入力端子の電圧と当該第１の閾値電圧との差を増幅し、前記出力端子に出力する第１の増幅回路と、前記第１の増幅回路と並列接続され、第２の閾値電圧が設定されて前記入力端子の電圧が第２の閾値電圧よりも小さいときには出力せず、前記入力端子の電圧が当該第２の閾値電圧よりも大きいときには、所定の利得特性に基いて前記入力端子の電圧と第２の閾値電圧との差を増幅し、前記出力端子に出力する第２の増幅回路とを備え、前記第２の増幅回路は前記第１の増幅回路よりも大きい利得特性を有し、前記第２の閾値電圧は前記第１の閾値電圧よりも大きく設定されたものである。
【００１０】
また、この発明によるスイッチング電源用の電圧制御回路は、出力電圧のパルス幅を調整しデューティー制御可能なパルス幅制御回路に、パルス幅調整用の電圧を供給する出力端子と、スイッチング電源の出力電圧が入力される入力端子と、第１の閾値電圧が設定され、前記入力端子の電圧が第１の閾値電圧よりも小さいときに出力せず、前記入力端子の電圧が当該第１の閾値電圧よりも大きいときに、所定の利得特性に基いて前記入力端子の電圧と当該第１の閾値電圧との差を増幅する第１の増幅回路と、前記第１の増幅回路の出力端に直列接続され、第２の閾値電圧が設定されて前記入力端子の電圧が第２の閾値電圧よりも小さいときには出力せず、前記入力端子の電圧が当該第２の閾値電圧よりも大きいときには、所定の利得特性に基いて前記入力端子の電圧と第２の閾値電圧との差を増幅し、前記出力端子に出力する第２の増幅回路とを備え、前記第２の増幅回路は前記第１の増幅回路よりも大きい利得特性を有し、前記第２の閾値電圧は前記第１の閾値電圧よりも小さく設定されたものである。
【発明の効果】
【００１１】
この発明によれば、大きな出力コンデンサを必要とすることなく負荷急変に対応できるスイッチング電源を実現できるため、装置の小型化が可能となる。
【発明を実施するための最良の形態】
【００１２】
実施の形態１．
以下、図を用いてこの発明に係る実施の形態１について説明する。
【００１３】
図１は実施の形態１によるスイッチング電源の構成を示している。
図１において、抵抗２ａ、抵抗３ａ、抵抗４ａ、及び抵抗５ａと、コンデンサ６ａ、基準電圧源７ａ、誤差増幅器８ａ、フォトカプラ９ａは、第１の誤差増幅回路１０ａを構成する。抵抗２ａの一端と抵抗４ａの一端は、それぞれ入力端子１に並列に接続される。抵抗３ａは一端が抵抗２ａの他端に接続されて他端が接地される。抵抗２ａと抵抗３ａは、入力端子１に印加される電圧を所定の比率に分圧する。また、抵抗４ａは他端がフォトカプラ９ａを構成するフォトダイオードの一端に接続される。フォトカプラ９ａを構成するフォトダイオードの他端は誤差増幅器８ａの出力端子に接続される。誤差増幅器の入力負端子は抵抗２ａの他端に接続され、入力正端子は基準電圧源７ｂに接続される。さらに、誤差増幅器８ａの出力端子と誤差増幅器の入力負端子の間を接続するように、直列接続された抵抗５ａとコンデンサ６ａが設けられる。
【００１４】
フォトカプラ９ａのフォトトランジスタの一端は電源Ｖｃｃに接続され、フォトカプラ９ａのフォトトランジスタの他端は抵抗１１の一端に接続される。また、抵抗１１の一端は出力端子１２に接続され、抵抗１１の他端は接地される。出力端子１２はパルス幅制御回路２０に接続される。パルス幅制御回路２０は一般にＰＷＭ（Pulse - width modulation）回路と呼ばれる。以下の説明では、パルス幅制御回路をＰＷＭ回路と呼ぶ。ＰＷＭ回路２０の出力端子はスイッチング回路２２に接続される。スイッチング回路２２は一次電源２４から電源供給され、ＰＷＭ回路２０によってスイッチング回路２２の出力電圧がスイッチング制御される。スイッチング回路２２の出力電圧は平滑回路２３で平滑された後、負荷２１に供給される。負荷２１は供給電圧に基いて所要の動作を行う。また、平滑回路２３を介して出力されるスイッチング電源の出力電圧Ｖｐは、入力端子１に印加される。
【００１５】
第２の誤差増幅回路１０ｂは、第１の誤差増幅回路１０ａと同様にして、抵抗２ｂ、３ｂ、４ｂ、及び５ｂと、コンデンサ６ｂ、基準電圧源７ｂ、誤差増幅器８ｂ、及びフォトカプラ９ｂから構成される。具体的には、抵抗２ｂの一端と抵抗４ｂの一端は、それぞれ入力端子１に並列に接続される。抵抗３ｂは一端が抵抗２ｂの他端に接続されて他端が接地される。抵抗２ｂと抵抗３ｂは、入力端子１に印加される電圧を所定の比率に分圧する。また、抵抗４ｂは他端がフォトカプラ９ｂを構成するフォトダイオードの一端に接続される。フォトカプラ９ｂを構成するフォトダイオードの他端は誤差増幅器８ｂの出力端子に接続される。誤差増幅器の入力負端子は抵抗２ｂの他端に接続され、入力正端子は基準電圧源７ｂに接続される。さらに、誤差増幅器８ｂの出力端子と誤差増幅器の入力負端子の間を接続するように、直列接続された抵抗５ｂとコンデンサ６ｂが設けられる。フォトカプラ９ｂのフォトトランジスタの一端は電源Ｖｃｃに接続され、フォトカプラ９ｂのフォトトランジスタの他端は抵抗１１の一端に接続される。
【００１６】
従って、第２の誤差増幅回路１０ｂのフォトカプラ９ｂは、フォトカプラ９ａと並列に接続される。また、第１の誤差増幅回路１０ａの抵抗２ａと第２の誤差増幅回路１０ｂの抵抗２ｂは、入力端子１に並列接続される。フォトカプラ９ａの出力電流と、フォトカプラ９ｂの出力電流は抵抗１１に供給される。すなわち、フォトカプラ９ａの出力電流値とフォトカプラ９ｂの出力電流値との和に、抵抗１１の抵抗値を乗じた値が出力端子１２で発生する電圧Ｖｅの電圧値となる。第１の誤差増幅回路１０ａ、第２の誤差増幅回路１０ｂ、抵抗１１は、スイッチング電源の出力電圧Ｖｐをフィードバック制御する電圧制御回路を構成する。
【００１７】
次に、図１を用いて動作について説明する。
出力端子１２に発生した電圧ＶｅはＰＷＭ回路２０に入力される。ＰＷＭ回路２０は、電圧Ｖｅに応じて、スイッチング回路２２に供給するオンオフパルスのパルス幅を調整して、スイッチング回路２２のスイッチング動作（スイッチングデューティ）が制御される。これによって、スイッチング電源全体のスイッチングデューティが制御される。従って、電圧制御回路の動作によって、負荷２１に供給されるスイッチング電源の出力電圧Ｖｐが制御される。例えば、出力端子１２の電圧Ｖｅが大きいときはスイッチング電源の出力電圧Ｖｐが小さくなるように制御され、逆に出力端子１２の電圧Ｖｅが小さいときはスイッチング電源の出力電圧Ｖｐが大きくなるように制御される。このスイッチング電源の出力電圧Ｖｐは負荷２１に供給される。
【００１８】
第１の誤差増幅回路１０ａにおいては、抵抗２ａ、３ａの各抵抗値及び基準電圧源７ａの電圧を適宜設定することにより、次式（１）に基いて所定の第１の閾値電圧Ｖｃ１が設定される。また、抵抗２ａ、４ａ、５ａの各抵抗値及びコンデンサ６ａの容量を適宜設定することにより、次式（２）に基いて所定の利得特性が決定される。第１の誤差増幅回路１０ａは、入力端子１に印加される電圧Ｖｐと、第１の閾値電圧Ｖｃ１との誤差を、利得特性に従い増幅し出力する。
【００１９】
【数１】
2005184962.tif 000003
【００２０】
また、第２の誤差増幅回路１０ｂおいては、抵抗２ｂ、３ｂの各抵抗値及び基準電圧源７ｂの電圧を適宜設定することにより、次式（３）に基いて所定の第２の閾値電圧Ｖｃ２が設定される。また、抵抗２ｂ、４ｂ、５ｂの各抵抗値及びコンデンサ６ｂの容量を適宜設定することにより、次式（４）に基いて所定の利得特性が決定される。
【００２１】
【数２】
2005184962.tif 000004
【００２２】
この際、第２の誤差増幅回路１０ｂの第２の閾値電圧Ｖｃ２は、第１の誤差増幅回路１０ａの第１の閾値電圧Ｖｃ１に比べわずかに大きな値とする。また、第２の誤差増幅回路１０ｂの利得特性は、第１の誤差増幅回路１０ａの利得特性に比べて大きく設定するものとする。第２の誤差増幅回路１０ｂは、入力端子１に印加される電圧Ｖｐと、第１の閾値電圧Ｖｃ１との誤差を、利得特性に従い増幅し出力する。
【００２３】
ここで、定常状態においては、第１の誤差増幅回路１０ａが支配的に動作し、スイッチング電源の出力電圧Ｖｐは第１の誤差増幅回路１０ａの第１の閾値電圧Ｖｃ１と同じ値である。第１の誤差増幅回路１０ａの利得特性は抑制され制御系の安定性を確保しているため、発振現象は発生せず、スイッチング電源は安定した動作をする。この時、入力端子１の電圧は第２の誤差増幅回路１０ｂの第２の閾値電圧Ｖｃ２より小さいため、フォトカプラ９ｂは出力電流が零の状態、つまり遮断領域での動作となり、等価的にフォトカプラ９ｂのコレクタ−エミッタ間はオープン状態となる。このため、第２の誤差増幅回路１０ｂはスイッチング電源の動作に関与しない。
【００２４】
従って、この状態でのスイッチング電源全体の動作は、出力電圧Ｖｐが第１の誤差増幅回路１０ａの第１の閾値電圧Ｖｃ１より大きくなると、出力端子１２の電圧Ｖｅを小さくするように動作し、逆に出力端子１２の電圧Ｖｅが第１の誤差増幅回路１０ａの第１の閾値電圧Ｖｃ１より小さくなると、出力電圧Ｖｐを大きくするように動作する。このように動作することにより、スイッチング電源の出力電圧Ｖｐは第１の誤差増幅回路１０ａの第１の閾値電圧Ｖｃ１に等しくなるように保たれる。
【００２５】
次に、この状態において、負荷急変によりスイッチング電源の出力電圧Ｖｐが瞬間的に変化したときのスイッチング電源の動作について説明する。
【００２６】
まず、負荷急変によりスイッチング電源の出力電圧Ｖｐが瞬間的に上昇し始めると、入力端子１へ帰還される入力電圧が上昇するが、第１の誤差増幅回路１０ａの利得は抑制されているため、応答が追いつかず、フォトカプラ９ａが供給する電流は、すぐには変化しない。
【００２７】
このとき、第２の誤差増幅器１０ｂを設けることなく、第１の誤差増幅器１０ａのみでスイッチング電源を構成した場合は、出力端子１２の電圧Ｖｅを瞬時に変化させることができなくなって、スイッチング電源の出力電圧Ｖｐは大きく変動してしまう。スイッチング電源の負荷急変に対する特性を向上させるためには、第１の誤差増幅回路１０ａの利得特性を大きくし、制御帯域を広くして、出力電圧Ｖｐの変動に対する制御系の応答特性を向上すれば良いが、制御帯域を広くすることは制御系の安定性を損なうことになり、出力電圧の発振現象の原因となってしまう。
【００２８】
そこで、この実施の形態では、第２の誤差増幅回路１０ｂを第１の誤差増幅器１０ａと並列に接続し、第１の誤差増幅器１０ａの利得特性よりも第２の誤差増幅回路１０ｂの利得特性を大きく設定している。このため、入力端子１への入力電圧がさらに上昇し、第２の誤差増幅回路１０ｂの第２の閾値電圧Ｖｃ２に達すると、制御帯域が広く、応答特性が優れているので、第２の誤差増幅回路１０ｂは瞬時に応答して、フォトカプラ９ｂから抵抗１１に対し電流が供給される。これによって、出力端子１２に発生する電圧Ｖｅが大きくなり、ＰＷＭ回路２０はスイッチング電源の出力電圧Ｖｐを小さくするように動作する。
【００２９】
従って、この状態では、スイッチング電源の出力電圧Ｖｐは第２の誤差増幅回路１０ｂの第２の閾値電圧Ｖｃ２と等しい電圧値に抑圧され、やがて、第１の誤差増幅回路１０ａの応答が追いつくと、スイッチング電源の出力電圧Ｖｐは第１の誤差増幅回路１０ａの第１の閾値電圧Ｖｃ１に回復し、再び安定した動作を継続する。これによって、負荷急変時においてもスイッチング電源の出力電圧Ｖｐは、第２の誤差増幅回路１０ｂの第２の閾値電圧Ｖｃ２に抑圧されるため、大きな出力電圧の変動が発生しない。
【００３０】
図３（ａ）に、実施の形態１によるスイッチング電源の出力電圧特性の一例を示す。図に示すように、スイッチング電源の出力電圧が第１の閾値電圧Ｖｃ１を超えた後、スイッチング電源の出力電圧が第２の閾値電圧Ｖｃ２の近傍で安定するように、スイッチング回路２２の電圧制御が為される。
【００３１】
このように、この実施の形態によれば、大きな出力コンデンサを必要とすることなく負荷急変に対応できるスイッチング電源を実現できるため、装置の小型化が可能となる。また、より制御帯域の広い電圧制御回路を得ることができる。
【００３２】
実施の形態２．
以下、図を用いてこの発明に係る実施の形態２について説明する。
図２は実施の形態２の構成を示している。図２において、第１の誤差増幅回路１０ａ、及びＰＷＭ回路２０、負荷２１、スイッチング回路２２、平滑回路２３、一次電源２４の構成及び動作については、図１のスイッチング電源と同様であるため、説明を省略する。第２の誤差増幅回路１０ｃは、抵抗２ｃ、抵抗３ｃ、抵抗４ｃ、及び抵抗５ｃと、コンデンサ６ｃ、基準電圧源７ｃ、誤差増幅器８ｃ、及びフォトカプラ９ｃから構成され、各構成品の接続関係は、第１の誤差増幅器１０ａと同様に接続されている。第２の誤差増幅回路１０ｃのフォトカプラ９ｃの入力端は、第１の誤差増幅回路１０ａのフォトカプラ９ａの出力端と直列に接続されている。第２の誤差増幅回路１０ｃのフォトカプラ９ｃの出力端は出力端子１２に接続され、出力端子１２は接地された抵抗１１に接続されている。
【００３３】
第２の誤差増幅回路１０ｃは、抵抗２ｃ、３ｃ及び基準電圧源７ｃにより、次式（５）に基いて決定される第２の閾値電圧Ｖｃ３を有する。また、抵抗２ｃ、抵抗４ｃ、抵抗５ｃ及びコンデンサ６ｃにより、次式（６）に基いて決定される利得特性を有している。第２の閾値電圧Ｖｃ３は、第１の誤差増幅回路１０ａの第１の閾値電圧Ｖｃ１に比べわずかに小さな値とし、その利得特性は、第１の誤差増幅回路１０ａの利得特性に比べて大きく設定する。
【００３４】
【数３】
2005184962.tif 000005
【００３５】
また、フォトカプラ９ｃはフォトカプラ９ａと直列に接続されているので、抵抗１１に供給される電流はフォトカプラ９ａとフォトカプラ９ｃの出力可能な電流のうちどちらか小さな値となる。このため、フォトカプラ９ａが出力可能な電流値とフォトカプラ１０ｃが出力可能な電流値のどちらか小さな値に抵抗１１の抵抗値を乗じた値が出力端子１２に発生する電圧値となる。
【００３６】
定常状態においては、第１の誤差増幅回路１０ａが支配的に動作し、スイッチング電源の出力電圧Ｖｐは第１の誤差増幅回路１０ａの第１の閾値電圧Ｖｃ１と同じ値である。誤差増幅回路１０ａの利得特性は抑制され制御系の安定性を確保しているため、発振現象は発生せず、スイッチング電源は安定した動作をする。この時、入力端子１の電圧は誤差増幅回路１０ｃの第２の閾値電圧Ｖｃ３より大きいため、フォトカプラ９ｃは出力可能な電流が大きい状態、つまり飽和領域での動作となり、等価的にフォトカプラ９ｃのコレクタ−エミッタ間はショート状態となる。このため、第２の誤差増幅回路１０ｃはスイッチング電源の動作に関与しない。
【００３７】
この状態において負荷急変によりスイッチング電源の出力電圧Ｖｐが瞬間的に変化したときのスイッチング電源の動作について説明する。
負荷急変によりスイッチング電源の出力電圧Ｖｐが瞬間的に低下し始めると入力端子１の電圧が低下するが、第１の誤差増幅回路１０ａの利得は抑制されているため、応答が追いつかず、フォトカプラ９ａが供給する電流はすぐには変化しない。入力端子１の電圧がさらに低下し第２の誤差増幅回路１０ｃの第２の閾値電圧Ｖｃ３に達すると、第２の誤差増幅回路１０ｃの利得特性は大きく設定されており、制御帯域が広く、応答特性が優れているため、第２の誤差増幅回路１０ｃは瞬時に応答し、フォトカプラ９ｃの出力可能な電流値が小さくなり、抵抗１１に供給される電流が減少する。
【００３８】
このため、出力端子１２に発生する電圧Ｖｅが小さくなり、ＰＷＭ回路はスイッチング電源の出力電圧Ｖｐを大きくするように動作する。この状態では、スイッチング電源の出力電圧Ｖｐは第２の誤差増幅回路１０ｃの第２の閾値電圧Ｖｃ３と等しい電圧値に保持され、やがて、第１の誤差増幅回路１０ａの応答が追いつくと、スイッチング電源の出力電圧Ｖｐは第１の誤差増幅回路１０ａの第１の閾値電圧Ｖｃ１に回復し、再び安定した動作を継続する。
従って、負荷急変時においてもスイッチング電源の出力電圧Ｖｐは第２の誤差増幅回路１０ｃの第２の閾値電圧Ｖｃ３に保持されるため、大きな出力電圧の変動が発生しない。
【００３９】
図３（ｂ）に、実施の形態２によるスイッチング電源の出力電圧特性の一例を示す。図に示すように、スイッチング電源の出力電圧が第１の閾値電圧Ｖｃ１よりも下回った後、スイッチング電源の出力電圧が第２の閾値電圧Ｖｃ３の近傍で安定するように、スイッチング回路２２の電圧制御が為される。
【００４０】
このように、この実施の形態によれば、大きな出力コンデンサを必要とすることなく負荷急変に対応できるスイッチング電源を実現できるため、装置の小型化が可能となる。また、より制御帯域の広い電圧制御回路を得ることができる。
【図面の簡単な説明】
【００４１】
【図１】この発明の実施の形態１によるスイッチング電源を説明するための図である。
【図２】この発明の実施の形態２によるスイッチング電源を説明するための図である。
【図３】この発明の実施の形態１、２によるスイッチング電源の出力電圧特性を説明するための図である。
【符号の説明】
【００４２】
１ 入力端子、２ 抵抗、３ 抵抗、４ 抵抗、５ 抵抗、６ コンデンサ、７ 基準電圧源、８ 誤差増幅器、９ フォトカプラ、１０ 誤差増幅回路、１１ 抵抗、１２ 出力端子。
【図１】
2005184962.tif 000006
【図２】
2005184962.tif 000007
【図３】
2005184962.tif 000008